(57)【要約】【課題】  シート状部材の端縁を確実に把持固定するためのカシメ構造を備えたシート状部材端縁把持用線状部材を提供することを課題とする。【解決手段】  シート状部材端縁把持用線状部材１０は、上辺１２と下辺１１が交点１０ａで断面が略Ｖ字形に形成され、開口溝部１０ｂを備えた任意の長さを有し、上辺１２は、下辺１１に対して６０〜８０％の厚さに形成されていることを特徴とする。また、Ｖ字形状の開口溝部１０ｂの背面から水平又はＬ形状に突出した取付部１３、１４、又は二つのＶ字形状の開口溝部１０ｂを備え、開口溝部それぞれの背面を連結する取付部１５を備える。【選択図】  図１
0003126667.tif 000002
【実用新案登録請求の範囲】
【請求項１】
シート状部材の端縁を把持固定し、該端縁に直線的な剛性を付与する線状部材であって、該線状部材は、その長手方向断面が略Ｖ字形で、長手方向に沿う開口溝部を有すると共に、該開口溝部へ前記シート状部材の端縁の挿入を許容した後、カシメ手段によりシート状部材の端縁を圧迫しこれを把持固定するための塑性変形可能な材質で構成されており、前記略Ｖ字形の断面には、その対抗する内面に沿って、カシメ後に前記シート状部材を挟んで互いに嵌め合うこととなる相補的な波型形状が付与され、さらに、前記略Ｖ字形の開口溝部の対向する一方の辺を他方に対し６０〜８０％の厚さに形成していることを特徴とするシート状部材端縁把持用線状部材。
【請求項２】
前記線状部材は、Ｖ字形状の開口溝部の背面から水平又はＬ形状に突出した取付部を有することを特徴とする請求項１記載のシート状部材端縁把持用線状部材。
【請求項３】
前記線状部材は、二つのＶ字形状の開口溝部を備え、開口溝部それぞれの背面を連結する取付部を有することを特徴とする請求項１記載のシート状部材端縁把持用線状部材。
【考案の詳細な説明】
【技術分野】
【０００１】
本考案は、幕布等のシート状部材を張架してパネルに形成するため、シート状部材の端縁を把持固定するためのシート状部材端縁把持用線状部材に関する。
【背景技術】
【０００２】
従来、街角における広告宣伝媒体や簡便な案内表示などには、プラスチックボードなどの板材に直接印刷又は描き出し、これを適当な支持枠に固定して立て看板として設置、或いは店頭の壁部に直接留めて表示することが行われていたが、この場合、その表示内容を変更する度に、板材の取り外しや交換或いは現場での書き直しを行う必要があった。
【０００３】
こうしたことから、近年では、樹脂などをコーティングして耐候性や強度を付与したシート状部材（幕布）に表示内容を印刷し、これを方形のパネル枠などに嵌め込んで固定し、その表示内容を変更する場合には、そのシート状部材を交換するという簡便な方法が採用されてきた。しかし、交換作業にかなりの手間が掛かる問題があった。
【０００４】
これらを解決する部材および保持構造として、特許文献１には、機械的に縫い合わせることに不向きなシート状部材、例えばメッシュ状の部材など張架が困難な部材に対しても端縁を容易に把持固定する処理部材とその保持構造が提案されていた。
【０００５】
図６（ａ）は、特許文献１で提案された従来の線状部材の断面図である。図において線状部材７０は、シート状部材２０の端縁を把持固定して、該端縁に直線的な剛性を付与するもので、長手方向断面が略Ｕ字形に形成され、かつ、その相対する内面には、断面波型の形状が付与されている。この波型は、一方の面の凸部７１が、他方の面の凹部７２に対向して、互いに相補的に形成されている。
【０００６】
図６（ｂ）は、従来の線状部材をカシメた状態を示す図である。シート状部材２０は、波型の凸部７１と凹部７２に挟まれて線状部材７０に一体的に把持固定されて直線的な剛性が付与される。この場合、シート状部材２０及び線状部材７０が共に波型になって互いの接触面積を増加させると共に、その静止摩擦力をも増大させ強固に一体化させている。
【０００７】
しかし、線状部材７０の長手方向断面がＵ字形状のアルミ部材であるため、カシメのためのプレスの際に、Ｕ字交点７０ａに応力が集中して割れてしまう問題があった。また、Ｕ字交点７０ａの割れを避けてプレスすると、シート状部材２０の把持にバラツキが生じプレス後の形状が直線的にならない問題が生じていた。
【０００８】
【特許文献１】実用新案登録第３０７５１７３号公報（第２、３頁、第７、８、１１、１２、１３図）
【考案の開示】
【考案が解決しようとする課題】
【０００９】
本考案は、前述の問題に鑑みて為されたもので、シート状部材の端縁を確実に把持固定するためのカシメ構造を備えたシート状部材端縁把持用線状部材を提供することを課題とする。
【課題を解決するための手段】
【００１０】
本考案のシート状部材端縁把持用線状部材は、シート状部材の端縁を把持固定し、該端縁に直線的な剛性を付与する線状部材であって、該線状部材は、その長手方向断面が略Ｖ字形で、長手方向に沿う開口溝部を有すると共に、該開口溝部へ前記シート状部材の端縁の挿入を許容した後、カシメ手段によりシート状部材の端縁を圧迫しこれを把持固定するための塑性変形可能な材質で構成されており、前記略Ｖ字形の断面には、その対抗する内面に沿って、カシメ後に前記シート状部材を挟んで互いに嵌め合うこととなる相補的な波型形状が付与され、さらに、前記略Ｖ字形の開口溝部の対向する一方の辺を他方に対し６０〜８０％の厚さに形成していることを特徴とする。
【００１１】
また、前記線状部材は、Ｖ字形状の開口溝部の背面から水平又はＬ形状に突出した取付部を有することを特徴とする。
【００１２】
また、前記線状部材は、二つのＶ字形状の開口溝部を備え、開口溝部それぞれの背面を連結する取付部を有することを特徴とする。
【考案の効果】
【００１３】
本考案によれば、略Ｖ字形の開口溝部の対向する一方の辺の厚さを他方に対し薄く形成していることにより、押圧によりカシメの際に、薄く形成された一方の辺がＶ字形交点を中心に内側に折れ曲がり、割れることがない。
【００１４】
また、プレス後の形状が直線的となり、シート状部材の把持にバラツキが生じない。
【考案を実施するための最良の形態】
【００１５】
以下本考案のシート状部材端縁把持用線状部材の実施の形態を図面を参照して詳細に説明する。
【００１６】
図１は、本考案の１実施の形態を示し、（ａ）は、シート状部材端縁把持用線状部材の長手方向断面図、（ｂ）はシート状部材を把持固定した状態の断面図、（ｃ）は、シート状部材を把持固定した平面図である。
【００１７】
図１（ａ）に示すシート状部材端縁把持用線状部材１０は、上辺１２と下辺１１が交点１０ａで断面が略Ｖ字形に形成され、開口溝部１０ｂを備えた任意の長さを有する線状部材である。
【００１８】
上辺１２は、下辺１１に対して６０〜８０％の厚さに形成されており、この実施の形態では下辺１１の厚さ２０ｍｍに対して上辺１２を１６ｍｍに形成し、下辺１１と上辺１２の交点１０ａは、半径６ｍｍの円弧で４５度開いたＶ字形状とされている。なお、Ｖ字形状の開度は、４５度に限ることなく、それ以下でもよい。
【００１９】
上辺１２の開口溝部１０ｂに対面する内面は、波型形状が付与され、凸部１２ａは、上辺１２が下方に向けてプレス（カシメ）された際に下辺１１の内面に設けられた波型形状の凹部１１ａと相補的に対向する位置に設けられている。
【００２０】
図１（ｂ）は、シート状部材２０を把持固定した状態のシート状部材端縁把持用線状部材１０の断面を示す。シート状部材２０は、プレスされた上辺１２と下辺１１の間隙にシート状部材２０が挟まれ、把持固定されている。このとき、上辺１２の凸部１２ａと、下辺１１の凹部１１ａによりシート状部材２０が波型に折り曲げられるため把持摩擦力が強く働く。
【００２１】
図１（ｃ）は、シート状部材２０の端縁を把持固定した状態のシート状部材端縁把持用線状部材１０の平面図である。
【００２２】
図２は、本考案の第２の実施の形態を示すシート状部材端縁把持用線状部材１０Ａの断面図である。この実施の形態では上辺１２と下辺１１で形成された開口溝部１０ｂの背面から水平に突出した取付部１３が一体的に設けられているものである。
【００２３】
取付部１３には上下に貫通する取付孔１３ａが穿設されている。
【００２４】
図３は、本考案の第３の実施の形態を示すシート状部材端縁把持用線状部材１０Ｂの断面図である。この実施の形態では上辺１２と下辺１１で形成された開口溝部１０ｂの背面からＬ字形状に突出した取付部１４が一体的に設けられているものである。取付部１４には前後に貫通する取付孔１４ａが穿設されている。
【００２５】
図４は、本考案の第４の実施の形態を示すシート状部材端縁把持用線状部材１０Ｃの断面図である。この実施の形態では上辺１２と下辺１１で形成された二つの開口溝部１０ｂを備え、それぞれの背面を連結する取付部１５により一体的に形成されているものである。この形態では、２枚のシート状部材を把持して連結するように固定することができる。尚、図示しないが取付部１５の任意の位置に取付孔を設けてもよい。
【００２６】
図５は本考案のシート状部材端縁把持用線状部材１０Ｂを枠部材に取付けた実施の形態を示す断面図である。
【００２７】
図５において、枠部材３０は、固定用ボルト３４を嵌め込み溝部３３と、シート状部材端縁把持用線状部材１０Ｂを載置するテーブル部３２と、シート状部材２０を支持する張出部３１を備え、シート状部材端縁把持用線状部材１０Ｂの取付孔１４ａを貫通させた固定用ボルト３４を用いてナット３５で固定させる。
【図面の簡単な説明】
【００２８】
【図１】本考案の第１の実施の形態を示し、（ａ）は、シート状部材端縁把持用線状部材の長手方向断面図、（ｂ）はシート状部材を把持固定した状態の断面図、（ｃ）は、シート状部材を把持固定した平面図である。
【図２】本考案の第２の実施の形態を示すシート状部材端縁把持用線状部材１０Ａの断面図である。
【図３】本考案の第３の実施の形態を示すシート状部材端縁把持用線状部材１０Ｂの断面図である。
【図４】本考案の第４の実施の形態を示すシート状部材端縁把持用線状部材１０Ｃの断面図である。
【図５】本考案のシート状部材端縁把持用線状部材１０Ｂを枠部材に取付けた実施の形態を示す断面図である。
【図６】（ａ）は、従来の線状部材の断面図、（ｂ）は、従来の線状部材をカシメた状態を示す図である。
【符号の説明】
【００２９】
１０    シート状部材端縁把持用線状部材
１０Ａ、１０Ｂ、１０Ｃ  シート状部材端縁把持用線状部材
１０ａ  交点
１０ｂ  開口溝部
１１    下辺
１１ａ  凹部
１２    上辺
１２ａ  凸部
１３    取付部
１３ａ  取付孔
１４    取付部
１４ａ  取付孔
１５    取付部  
２０    シート状部材
３０    枠部材
３１    張出部
３２    テーブル部
３３    嵌め込み溝部
３４    固定用ボルト
３５    ナット
７０    線状部材
７０ａ  Ｕ字交点
７１    凸部
７２    凹部
【図１】
0003126667.tif 000003
【図２】
0003126667.tif 000004
【図３】
0003126667.tif 000005
【図４】
0003126667.tif 000006
【図５】
0003126667.tif 000007
【図６】
0003126667.tif 000008